(57)【要約】【課題】２以上のチューナを設ける必要がある場合であっても、アンテナ入力への接続などのために受信機内部における回路部品および基板配線パターン構造、あるいは機構部品などを必要としないチューナあるいは受信機を提供する。【解決手段】チューナの一つの筐体１の側面に、入力または出力用の２つの端子２ａ、２ｂを備えている。これらの端子２ａ、２ｂは、筐体１の筐体１の異なる面（１ａ、１ｂ）にそれそれ配置されることにより、筐体１の高さ方向の縮小の制限を比較的少なくすることができる。【選択図】図１
2007150574.tif 000002
【特許請求の範囲】
【請求項１】
一つの筐体の外部の側面に、２以上の入力または出力用の端子を備えた、入出力装置。
【請求項２】
前記端子が、前記一つの筐体の外部の異なる側面に一つずつ設けられた、請求項１に記載の入出力装置。
【請求項３】
一つの筐体の外部の異なる側面に、２以上の入力または出力用の端子を一つずつ含む入出力装置を備えた、チューナ。
【請求項４】
前記チューナは、２以上の放送方式に対応した受信機能を一つの筐体内において有する、請求項３に記載のチューナ。
【請求項５】
チューナを含む受信機であって、前記チューナは、一つの筐体の外部の異なる側面に、２以上の入力または出力用の端子を一つずつ含む入出力装置を備えた、受信機。
【請求項６】
前記チューナは、２以上の放送方式に対応した受信機能を一つの筐体内において有する、請求項５に記載の受信機。
【請求項７】
２以上のチューナを有する受信機であって、前記チューナの内の少なくとも一つは、一つの筐体の外部の異なる側面に、２以上の入力または出力用の端子を一つずつ含む入出力装置を備え、前記２以上の入力または出力用の端子の一方を他のチューナの端子に接続した、受信機。
【発明の詳細な説明】
【技術分野】
【０００１】
本発明は、地上波テレビ放送や衛星放送などに使用されるチューナ等の機器において、アンテナ等を接続するために必要な端子を備えた入出力装置、この入出力装置を用いたチューナ、および、チューナを用いた受信機に関するものである。
【背景技術】
【０００２】
地上波テレビ放送や衛星放送などの受信が可能な受信機においては、図４に示すような、２以上のチューナ（例えば地上波チューナと衛星放送受信用チューナ）を備える構成が一般的である。このような受信機においては、その内部において二つの別個のチューナ１００，１００へアンテナ入力１０１を接続するためには、ＲＦスイッチ１０２（図４参照）や分配器（図示せず）が必要であった。また、その他の接続構造として、チューナ１００のピン端子１０３を用いて、他のチューナ１００へ接続するものがあった（図５参照）。これは、一つのチューナを介した接続で、いわゆるループスルー接続という方法である。この場合も、追加部品（図示せず）や、煩雑な基板配線パターン構造１０４が必要となる。
【特許文献１】特開平９−１６３２７０号公報
【発明の開示】
【発明が解決しようとする課題】
【０００３】
従来の２以上の異なる周波数帯や、異なる電波の形式に対応した受信用チューナの接続においては、受信機内部等において、上述のように、他の回路、機構部品、あるいは基板配線パターン構造が必要となるという問題があった。
【０００４】
本発明は、２以上のチューナを設ける必要がある場合であっても、受信機内部における回路部品、基板配線パターン構造、または機構部品などを必要としない、入出力装置あるいは受信機を提供することを目的とする。
【課題を解決するための手段】
【０００５】
このような課題を解決するための本発明の入出力装置は、一つの筐体の外部の異なる側面に、２以上の入力または出力用の端子を一つずつ含んでいる。
【０００６】
本発明のチューナは、一つの筐体の外部の異なる側面に、２以上の入力または出力用の端子を一つずつ含む入出力装置を備える。このチューナは、２以上の放送方式に対応した受信機能を一つの筐体内において有することができる。
【０００７】
本発明の受信機は、チューナを含み、このチューナは、一つの筐体の外部の異なる側面に、２以上の入力または出力用の端子を一つずつ含む入出力装置を備える。また、本発明の受信機は、他の局面においては、２以上のチューナを有し、これらのチューナの内の少なくとも一つが、一つの筐体の外部の異なる側面に、２以上の入力または出力用の端子を一つずつ含む入出力装置を備え、前記２以上の入力または出力用の端子の一方を他のチューナの端子に接続されている。
【発明の効果】
【０００８】
本発明においては、上述のように、一つの筐体の外部の異なる側面に、２以上の入力または出力用の端子を備えている。このような構成を有することにより、異なる周波数帯域の二つのチューナを機器内部で接続する場合や、二つのアンテナを接続する際にアンテナ入力を接続する場合等において、筺体の外部の異なる側面に露出した端子が２以上あることにより、受信機内部における回路部品、基板配線パターン構造、あるいは機構部品などを設けることなく、アンテナ入力とチューナとの接続を行なうことが可能となる。その結果、受信機等の小型化を図ることができる。
【０００９】
また、本発明において、一つの筐体に２以上の同じ機能を有する入力もしくは出力用の端子を備え、この端子が筐体の異なる側面にそれぞれ配置された構成とすることにより、二つの端子を筐体の異なる側面に分散配置できる。これにより、一側面に二つの端子を設ける場合に比して、よりコンパクトに入出力装置あるいはチューナを構成することできる。
【発明を実施するための最良の形態】
【００１０】
（実施の形態１）
本発明の実施の形態１の受信機は、図１（ａ）に示す構成を有している。この受信機は、地上波テレビ放送や衛星放送などの受信のためのチューナ１０，２０を備えており、一つの筐体１に筺体１から露出して２以上の同じ機能を有する入力もしくは出力用の端子２ａ，２ｂを備えている。この端子２ａ，２ｂは、アンテナ入力や、他のチューナへの信号の入力あるいは出力を行うためのものである。そしてこの端子２ａ，２ｂは、図１（ａ）においては、筐体１の異なる面１ａ，１ｂにそれそれ配置されている。
上記構成を備えることにより、二つのチューナを機器内部で接続する際に、端子２ａをアンテナに接続し、端子２bを他の別の周波数帯域のチューナに接続したり、周波数帯域が異なるアンテナにそれそれ端子２ａと端子２ｂとを接続することができる。このような接続が可能なので受信機内部における回路部品、基板配線パターン構造、あるいは機構部品などを設けることなく、２つのアンテナや、他のチューナとの接続を行なうことが可能となり、受信機等の筐体の小型化を図ることができる。
【００１１】
また、端子２が筐体１の異なる面１ａ，１ｂにそれそれ配置されることにより、二つの端子２を設けても、筐体１の高さ方向の縮小の制限が比較的少ない。
【００１２】
（実施の形態２）
図１（ｂ）に示す本発明の実施の形態２においては、端子２は筐体３の同じ面３ａに設けられている。この構成によっても、二つのチューナを機器内部で接続する際に、端子２ａをアンテナに接続し、端子２bを他の別の周波数帯域のチューナに接続したり、周波数帯域が異なるアンテナにそれそれ端子２ａと端子２ｂとを接続することができる。このような接続が可能なので受信機内部における回路部品、基板配線パターン構造、あるいは機構部品などを設けることなく、２つのアンテナや、他のチューナとの接続を行なうことが可能となり、受信機等の筐体の小型化を図ることができる。
【００１３】
ただし、同じ面３ａに端子２を設けると、端子２の取り付け構造の関係で、相互に一定の間隔Ｘを設ける必要がある。そのため、実施の形態１の構造に比べると、筐体３の高さＹの縮小の制限が比較的大きい。
【００１４】
（実施の形態３）
本発明の実施の形態３を、図２により説明する。３０は地上波テレビ放送や衛星放送などの受信が可能な受信機であり、地上波チューナ３１と衛星放送受信用チューナ３２を備える。この受信機３０の内部において、二つの別のチューナのうちチューナ３１の筐体１は２つの同じ機能を有する入力もしくは出力用の端子２ａ，２ｂを備え、この端子２ａ，２ｂがそれぞれ筐体１の異なる面１ａ，１ｂにそれそれ配置されている。一方の端子２ａはアンテナ入力１０１へ接続され、他方の端子２ｂは他方のチューナ３２の端子４に接続されている。
【００１５】
このような構成では、アンテナ入力１０１からの信号は、チューナ３１側の端子２ａから入力され、チューナ３１へ信号入力接続される。またアンテナ入力１００の信号は、端子２ｂを介して端子４に接続され、他方のチューナ３２へも信号が伝達される。この実施の形態における接続は、いわゆるのループスルー接続という接続形態の構造とっているものである。この場合には、アンテナ１０１に端子２ａが接続され、端子２bには他方のチューナを接続することができる。このような接続が可能なので受信機内部における回路部品、基板配線パターン構造、あるいは機構部品などを設けることなく、他方のチューナとの接続を行なうことが可能となり、受信機等の筐体の小型化を図ることができる。
【００１６】
（実施の形態４）
本発明の実施の形態４を、図３により説明する。４０は地上波テレビ放送や衛星放送などの受信が可能な受信機であり、地上波と衛星波の放送受信用チューナ４１を備える。チューナ４１の筐体１は２つの同じ機能を有する入力もしくは出力用の端子２ａ，２ｂを備え、この端子２ａ，２ｂがそれぞれ筐体１の異なる面１ａ，１ｂにそれそれ配置されている。一方の端子２ａはアンテナ入力１０１へ接続され、他方の端子２ｂは他方のアンテナ入力５０に接続されている。このような構成では、アンテナ入力１０１からの信号は、チューナ３１における端子２ａから入力され、一方で衛星放送等の信号はアンテナ入力５０が接続された端子２ｂを介してチューナ４１に接続されている。
【００１７】
このような実施の形態では、周波数帯域が異なるアンテナ１０１と他方のアンテナ５０にそれそれ端子２ａと端子２ｂとを接続することができる。このような接続が可能なので受信機内部におけるアンテナ接続切替え用の機構部品などを設けることなく、２つのアンテナへの接続を行なうことが可能となり、受信機等の筐体の小型化を図ることができる。
【００１８】
今回開示された実施の形態はすべて例示であって制限的なものではないと考えられるべきである。本発明の範囲は上記した説明ではなくて特許請求の範囲によって示され、特急請求の範囲と均等の意味および範囲内でのすべての変更が含まれることが意図される。
【産業上の利用可能性】
【００１９】
本発明によれば、地上波テレビ放送や衛星放送などの受信が可能な受信機において、受信機内部における回路部品および基板配線パターン構造、あるいは機構部品などを設けることなくアンテナ入力とチューナ等への接続が可能となり、受信機などの筐体の小型化を図ることができる。そのため、例えば地上波チューナと衛星放送受信用チューナを備える受信機に広く利用可能である。
【図面の簡単な説明】
【００２０】
【図１】（ａ）は本発明の実施の形態１における入出力装置の斜視図、（b）は本発明の実施の形態２における入出力装置の斜視図である。
【図２】本発明の実施の形態３における受信機の内部構造を示す斜視図である。
【図３】本発明の実施の形態４における受信機の内部構造を示す斜視図である。
【図４】従来技術の受信機の内部構造を示す斜視図である。
【図５】従来技術の他の受信機の内部構造を示す斜視図である。
【符号の説明】
【００２１】
１、３  筐体、１ａ，１ｂ  筐体の側面、２，２ａ，２ｂ  端子、１０，２０，３１，３２  チューナ、３０，４０  受信機。
【図１】
2007150574.tif 000003
【図２】
2007150574.tif 000004
【図３】
2007150574.tif 000005
【図４】
2007150574.tif 000006
【図５】
2007150574.tif 000007